【事件の表示】
　平成１０年特許願第　９４５０２号「太陽電池及び太陽電池製造方法」拒絶査定不服審判事件〔平成１１年１０月２９日出願公開、特開平１１−２９８０１９〕について、次のとおり審決する。
【結　論】
　本件審判の請求は、成り立たない。
【理　由】
第１．手続の経緯
　本願は、平成１０年４月７日の特許出願であって、平成１５年８月５日付で拒絶査定がなされ、これに対し、同年９月１０日に拒絶査定に対する審判請求がなされるとともに、同年１０月１０日付で手続補正がなされたものである。
　
第２．平成１５年１０月１０日付の手続補正についての補正却下の決定
［補正却下の決定の結論］
　　平成１５年１０月１０日付の手続補正を却下する。
［理由］
１．補正事項
　平成１５年１０月１０日付の手続補正（以下、「本件補正」という。）は、次の補正事項を含んでいる。
「【特許請求の範囲】
　　【請求項１】　受光した光エネルギーを光起電力に変換する半導体基板と、前記半導体基板の表面上に形成され、光起電力を収集して出力するための少なくとも２本以上の、インターコネクターをはんだ溶接するコレクター電極とその各コレクター電極に対し略直角に一定間隔で配列された複数本の細いグリッド電極とを電気的に接続した表面電極と、前記半導体基板の裏面上に形成され、前記表面電極の極性に対し反対極性になる裏面電極とからなり、各コレクター電極間に配列された各グリッド電極は少なくとも１本おきにその略中央部で所定長さ切断されたことを特徴とする太陽電池。
　　【請求項２】　受光した光エネルギーを光起電力に変換する半導体基板と、前記半導体基板の表面上に形成され、光起電力を収集して出力するための少なくとも２本以上の、インターコネクターをはんだ溶接するコレクター電極とその各コレクター電極に対し略直角に一定間隔で配列された複数本の細いグリッド電極とを電気的に接続した表面電極と、前記半導体基板の裏面上に形成され、前記表面電極の極性に対して反対極性になる裏面電極とからなり、各コレクター電極間に配列された全グリッド電極はその略中央部に向かって山形に形成されたことを特徴とする太陽電池。
　　【請求項３】　前記各コレクター電極の長手方向の１先端部分にコネクターをはんだ溶接するはんだ溶接部分をさらに形成し、このはんだ溶接部分の幅をコレクター電極の幅より太くしたことを特徴とする請求項１または２に記載の太陽電池。
　　【請求項４】　受光した光エネルギーを光起電力に変換する半導体基板を形成し、光起電力を収集して出力するための少なくとも２本以上の、インターコネクターをはんだ溶接するコレクター電極とその各コレクター電極に対し略直角に一定間隔で配列された複数本の細いグリッド電極とを電気的に接続した表面電極を前記半導体基板の表面上に形成し、前記表面電極の極性に対し反対極性になる裏面電極を前記半導体基板の裏面上に形成し、各コレクター電極間に配列された全グリッド電極をその略中央部で所定長さ切断し、前記各コレクター電極の長手方向の１先端部分に形成されるコネクターのはんだ溶接部分を上側にして前記半導体基板をはんだ槽に浸漬し前記表面電極及び前記裏面電極にはんだ被覆することを特徴とする太陽電池製造方法。
　　【請求項５】　受光した光エネルギーを光起電力に変換する半導体基板を形成し、光起電力を収集して出力するための少なくとも２本以上の、インターコネクターをはんだ溶接するコレクター電極とその各コレクター電極に対し略直角に一定間隔で配列された複数本の細いグリッド電極とを電気的に接続した表面電極を前記半導体基板の表面上に形成し、前記表面電極の極性に対し反対極性になる裏面電極を前記半導体基板の裏面上に形成し、各コレクター電極間に配列された各グリッド電極を少なくとも１本おきにその略中央部で所定長さ切断し、前記各コレクター電極の長手方向の１先端部分に形成されるコネクターのはんだ溶接部分を上側にして前記半導体基板をはんだ槽に浸漬し前記表面電極及び前記裏面電極にはんだ被覆することを特徴とする太陽電池製造方法。
　　【請求項６】　受光した光エネルギーを光起電力に変換する半導体基板を形成し、光起電力を収集して出力するための少なくとも２本以上の、インターコネクターをはんだ溶接するコレクター電極とその各コレクター電極に対し略直角に一定間隔で配列された複数本の細いグリッド電極とを電気的に接続した表面電極を前記半導体基板の表面上に形成し、前記表面電極の極性に対し反対極性になる裏面電極を前記半導体基板の裏面上に形成し、各コレクター電極間に配列された各グリッド電極をその略中央部に向かって山形に形成し、前記各コレクター電極の長手方向の１先端部分に形成されるコネクターのはんだ溶接部分を上側にして前記半導体基板をはんだ槽に浸漬し前記表面電極及び前記裏面電極にはんだ被覆することを特徴とする太陽電池製造方法。」を、
「【特許請求の範囲】
　　【請求項１】　受光した光エネルギーを光起電力に変換する半導体基板と、前記半導体基板の表面上に形成され、光起電力を収集して出力するための複数本の、インターコネクターをはんだ溶接するコレクター電極とこれらのコレクター電極に対し略直角に一定間隔で配列された複数本の細いグリッド電極とを電気的に接続した表面電極と、前記半導体基板の裏面上に形成され、前記表面電極の極性に対し反対極性になる裏面電極とからなり、　隣接する２本のコレクター電極どうしの間に配列された全グリッド電極のうち所定本数のグリッド電極の長さ略中央部に、前記半導体基板のはんだ槽への浸漬時にそこに付着する熔融はんだの表面張力を減少させ、前記半導体基板のはんだ槽からの引き上げ時にその熔融はんだをそこから流下させる断線部が設けられたことを特徴とする太陽電池。
　　【請求項２】　受光した光エネルギーを光起電力に変換する半導体基板と、前記半導体基板の表面上に形成され、光起電力を収集して出力するための複数本の、インターコネクターをはんだ溶接するコレクター電極とこれらのコレクター電極に対し略直角に一定間隔で配列された複数本の細いグリッド電極とを電気的に接続した表面電極と、前記半導体基板の裏面上に形成され、前記表面電極の極性に対し反対極性になる裏面電極とからなり、　隣接する２本のコレクター電極どうしの間に配列された全グリッド電極の長さ略中央部に、前記半導体基板のはんだ槽への浸漬時にそこに付着する熔融はんだを前記半導体基板のはんだ槽からの引き上げ時にその頂点から流下させる山形部が設けられたことを特徴とする太陽電池。
　　【請求項３】　前記コレクター電極の長手方向の１先端部分にコネクターをはんだ溶接するはんだ溶接部分をさらに形成し、このはんだ溶接部分の幅を前記コレクター電極の幅より広くしたことを特徴とする請求項１または２に記載の太陽電池。
　　【請求項４】　受光した光エネルギーを光起電力に変換する半導体基板を形成し、光起電力を収集して出力するための複数本の、インターコネクターをはんだ溶接するコレクター電極とこれらのコレクター電極に対し略直角に一定間隔で配列された複数本の細いグリッド電極とを電気的に接続した表面電極を前記半導体基板の表面上に形成し、前記表面電極の極性に対し反対極性になる裏面電極を前記半導体基板の裏面上に形成し、隣接する２本のコレクター電極どうしの間に配列された全グリッド電極をその長さ略中央部で所定長さ切断することで、前記半導体基板のはんだ槽への浸漬時にそこに付着する熔融はんだの表面張力を減少させ、前記半導体基板のはんだ槽からの引き上げ時にその熔融はんだをそこから流下させる断線部を形成し、前記コレクター電極の長手方向の１先端部分に形成されるコネクターのはんだ溶接部分を上側にして前記半導体基板をはんだ槽に浸漬し前記表面電極及び前記裏面電極にはんだ被覆することを特徴とする太陽電池製造方法。
　　【請求項５】　受光した光エネルギーを光起電力に変換する半導体基板を形成し、光起電力を収集して出力するための複数本の、インターコネクターをはんだ溶接するコレクター電極とこれらのコレクター電極に対し略直角に一定間隔で配列された複数本の細いグリッド電極とを電気的に接続した表面電極を前記半導体基板の表面上に形成し、前記表面電極の極性に対し反対極性になる裏面電極を前記半導体基板の裏面上に形成し、隣接する２本のコレクター電極どうしの間に配列された全グリッド電極のうち所定本数のグリッド電極をその長さ略中央部で所定長さ切断することで、前記半導体基板のはんだ槽への浸漬時にそこに付着する熔融はんだの表面張力を減少させ、前記半導体基板のはんだ槽からの引き上げ時にその熔融はんだをそこから流下させる断線部を形成し、前記コレクター電極の長手方向の１先端部分に形成されるコネクターのはんだ溶接部分を上側にして前記半導体基板をはんだ槽に浸漬し前記表面電極及び前記裏面電極にはんだ被覆することを特徴とする太陽電池製造方法。
　　【請求項６】　受光した光エネルギーを光起電力に変換する半導体基板を形成し、光起電力を収集して出力するための複数本の、インターコネクターをはんだ溶接するコレクター電極とこれらのコレクター電極に対し略直角に一定間隔で配列された複数本の細いグリッド電極とを電気的に接続した表面電極を前記半導体基板の表面上に形成し、前記表面電極の極性に対し反対極性になる裏面電極を前記半導体基板の裏面上に形成し、隣接する２本のコレクター電極どうしの間に配列された全グリッド電極をその長さ略中央部へ向かって山形に形成することで、前記半導体基板のはんだ槽への浸漬時にそこに付着する熔融はんだを前記半導体基板のはんだ槽からの引き上げ時にその頂点から流下させる山形部を形成し、前記コレクター電極の長手方向の１先端部分に形成されるコネクターのはんだ溶接部分を上側にして前記半導体基板をはんだ槽に浸漬し前記表面電極及び前記裏面電極にはんだ被覆することを特徴とする太陽電池製造方法。」
に補正する。
　つまり、本件補正は、特許請求の範囲の請求項１及び請求項５記載の「
各グリッド電極は少なくとも１本おきにその
全グリッド電極のうち所定本数のグリッド電極の長さ
　
２．補正の目的の適否について
　出願当初の明細書及び図面には、上記「各グリッド電極は少なくとも１本おきにその略中央部で所定長さ切断」以外に、段落００１３には、「各コレクター電極間に配列された各グリッド電極は、少なくとも１本おきにその略中央部で所定長さ切断された構成にしてもよい。前記構成において、はんだ膜の形成による光起電力の低下、はんだ玉の付着による半導体基板の割れ、はんだ侵漬時間の差異によるコレクター電極の剥がれを防止できるので、性能が安定にした太陽電池が得られる。切断されないグリッド電極と切断されるグリッド電極の配列の組み合わせは、はんだ膜やはんだ玉が形成されない程度に任意に変更することができる。」の記載があり、これは切断されるグリッド電極と切断されないものとの配列の組合せ、例えば、切断されるグリッド電極を、基板の上下などの部分に応じて１本おきあるいは、２本おきに配置するようにしたものであって、断線部を設けたグリッド電極の設置本数を変更する程度のことは、断線部を設けたグリッド電極の配列形態について記載した上記段落００１３の記載から当業者が自明に導き出せるものである。
　しかしながら、本件補正中、「
各グリッド電極は少なくとも１本おきに
全グリッド電極のうち所定本数のグリッド電極
　
２．むすび　
　以上のとおりであるから、本件補正は、第１５９条第１項において読み替えて準用する特許法５３条第１項の規定により却下すべきものである。
　
第３．本願発明について
１．本願発明
　平成１５年１０月１０日付けの手続補正は上記のとおり却下されたので、本願の請求項１に係る発明（以下、「本願発明」という。）は、平成１５年５月３０日付けの手続補正により補正された明細書及び図面の記載からみて、その特許請求の範囲の請求項１に記載された次のとおりのものである。
「【請求項１】　受光した光エネルギーを光起電力に変換する半導体基板と、前記半導体基板の表面上に形成され、光起電力を収集して出力するための少なくとも２本以上の、インターコネクターをはんだ溶接するコレクター電極とその各コレクター電極に対し略直角に一定間隔で配列された複数本の細いグリッド電極とを電気的に接続した表面電極と、前記半導体基板の裏面上に形成され、前記表面電極の極性に対し反対極性になる裏面電極とからなり、各コレクター電極間に配列された各グリッド電極は少なくとも１本おきにその略中央部で所定長さ切断されたことを特徴とする太陽電池。」　
　
２．刊行物記載の発明
　これに対し、原審の拒絶理由に引用された、この出願前に頒布された刊行物である特開平３−７９０８６号公報（以下、「引用例」という。）には、図面とともに下記の記載が認められる。
「第７図はステンレス基板を用いた表面が平面の大面積薄膜太陽電池の平面図を示す。ステンレス基板２の表面には、図示されていないが、ＰＩＮ層の薄膜による光起電力層が形成され、さらにその表面は透明導電膜で覆われ太陽電池層２を形成している。その表面には集電極幹部３が設けられている。集電極幹部３には多数の集電極枝部３−１が設けられ、集電極幹部３は電力の取出口に近づくに従って幅が広くなっている。」（第１頁左下欄下から３行〜右下欄第７行）
　
 ３．対比
　本願の請求項１に係る発明（以下、「本願発明」という。）と引用例に記載の事項とを対比する。
（１）引用例に記載された「太陽電池層及びステンレス基板」、「集電極幹部」、「集電極枝部」、「集電極幹部及び集電極枝部」は、本願発明の「半導体基板」、「コレクター電極」、「グリッド電極」、「表面電極」にそれぞれ相当し、
（２）引用例の第７図によれば、集電極幹部及び集電極枝部は、ステンレス基板の表面上に形成され、光起電力を収集して出力するための２本の集電極幹部とその各集電極幹部に対し略直角に一定間隔で配列された複数本の細い集電極枝部とを電気的に接続した構成が読みとれるので、
　両者は、「受光した光エネルギーを光起電力に変換する半導体基板と、前記半導体基板の表面上に形成され、光起電力を収集して出力するための少なくとも２本以上のコレクター電極とその各コレクター電極に対し略直角に一定間隔で配列された複数本の細いグリッド電極とを電気的に接続した表面電極とからなる太陽電池」の点で一致し、下記の点で相違する。
（相違点１）本願発明では、「コレクター電極にはインターコネクタをはんだ溶接する」のに対して、引用例に記載の集電極幹部がそのような構成を有することが記載されていない点。
（相違点２）本願発明では、「半導体基板の裏面上に前記表面電極の極性に対し反対極性になる裏面電極が形成されている」のに対して、引用例には、特にそのような構成が記載されていない点。
（相違点３）本願発明では、「グリッド電極は少なくとも１本おきにその略中央部で所定長さ切断されている」のに対して、引用例に記載のものでは、全ての集電極枝部がその略中央部で所定長さ切断されている点。
　
４．判断
　上記相違点に付き検討する。
（相違点１）
　従来、太陽電池のコレクター電極において、外部リード線や接続導体の結合を可能ならしめるためにはんだ層を形成することは周知(例えば、実願昭６２−１１５７４２号（実開昭６４−２０７５１号）のマイクロフィルム第２頁第１６行〜第３頁第１行参照)の事項であり、該周知技術を引用例に記載の集電極幹部に適用する程度ことは当業者にとって格別困難とはいえない。
（相違点２）
　従来、太陽電池の光起電力の取り出しにおいて、基板の表面及び裏面に、それぞれ極性の異なる電極を設けることは引例を示すまでもなく周知の事項であり、該周知技術を引用例に記載の基板裏面に適用する程度ことは当業者にとって格別困難とはいえない。
（相違点３）
　本願明細書の段落００２３及び００２７には、それぞれ全グリッド電極をその該中央部で所定長さ切断したもの（引用例に記載のもの、当審にて記入。）と、グリッド電極は少なくとも１本おきにその略中央部で所定長さ切断したものについて、奏される効果はともに、「表面電極に付着した熔融はんだはその表面張力が減少してはんだ槽４に落下し、コレクター電極２ａ、２ｂとグリッド電極３で囲まれる矩形領域（ａ）（受光面）に形成されるはんだ膜や、グリッド電極上に形成されるはんだ玉を防止することができる。」と記載されている。つまり、グリッド電極を１本おきに切断するか、全部を切断するかについて両者の作用効果に何ら相違しないことが記載されている。よって、上記相違点３に係る構成は、当業者が適宜選択すべき事項に過ぎない。
　そして、本願発明によってもたらされる効果は、引用例発明及び上記周知技術から、当業者が予測し得る程度のものであり、格別とはいえない。
　
５．むすび
　以上のとおり、本願発明は、引用例に記載された発明及び周知の技術に基づいて当業者が容易に発明をすることができたものであるから、特許法第２９条第２項の規定により特許を受けることができない。
　よって、結論のとおり審決する。